(57)【要約】 【課題】  本の構造自体に面白さ等を付加でき、本の購買意欲を高め、購買量を増大できる部分封緘本を提供すること。【解決手段】  部分封緘本１は、表表紙３あるいは裏表紙５の一方の小口１０３部分に、冊子部７の外側に延出する延長部１１が設けられ、前記延長部１１が、該延長部１１が設けられた表表紙３あるいは裏表紙５側に位置する冊子部７部分の紙片を封緘するように折り曲げられ、少なくともその先端が前記紙片に接着されている。【選択図】図１
2005170060.tif 000002
【特許請求の範囲】
【請求項１】
表表紙或は裏表紙の一方の小口部分に、冊子部の外側に延出する延長部が設けられ、
前記延長部が、該延長部が設けられた表表紙或は裏表紙側に位置する冊子部部分の紙片を封緘するように折り曲げられ、少なくともその先端が前記紙片に接着されている、
ことを特徴とする部分封緘本。
【請求項２】
前記延長部が接着される紙片は冊子部の中央頁をなす紙片である請求項１記載の部分封緘本。
【請求項３】
前記延長部は表表紙と裏表紙の双方に設けられている請求項１または２記載の部分封緘本。
【請求項４】
前記延長部の基部には表表紙或は裏表紙の小口側から切り取り可能な切取線が形成されている請求項１，２または３記載の部分封緘本。
【請求項５】
前記紙片に対して延長部は接着剤により剥離可能に接着されている請求項１，２，３または４記載の部分封緘本。
【請求項６】
前記延長部が接着される冊子部の紙片部分には、前記接着剤が前記冊子部部分を封緘するのに十分な接着強度が維持されると共に、前記接着強度よりも大きな力で前記接着剤が剥離される表面加工層が形成されていることを特徴とする請求項５記載の部分封緘本。
【請求項７】
前記表面加工層は、油性ＯＰニス、塩化ビニル・酢酸ビニル共重合系塗料、硝化綿系塗料、アクリル樹脂系塗料、アミノアルキッド樹脂系塗料、アクリル樹脂水性型塗料及び紫外線硬化型アクリル系塗料よりなる群から選択される少なくとも一種の材料で形成されている請求項６記載の部分封緘本。
【請求項８】
前記接着剤は、ホットメルト粘着剤、アクリル系粘着剤、シリコーン系粘着剤及び粘着付与剤樹脂よりなる群から選択される少なくとも一種の材料で形成されている請求項６記載の部分封緘本。
【発明の詳細な説明】
【技術分野】
【０００１】
本発明は冊子部の一部が封緘された部分封緘本に関する。
【背景技術】
【０００２】
従来の本は、冊子部と、冊子部の両面に位置する表表紙と裏表紙により構成されており、冊子部を構成する紙片と、表表紙並びに裏表紙は開閉可能に綴じられている。
【０００３】
しかしながら、このような従来の本の構造では、本に面白さ等を付加しようとしても、冊子部を構成する紙片と、表表紙並びに裏表紙が単に開閉可能に綴じられた表紙の構成であるため限度があった。
また、従来より冊子部の小口を封緘し郵送用の形態にした本も既に知られている（特許文献１、特許文献２、特許文献３、特許文献４）。
これらの本は何れも、表表紙及び裏表紙を有する冊子と外包装用紙とを同時に止め金具等で綴じ、外包装用紙の一方の小口部分に設けた延長部を折り曲げて外包装用紙の他方の小口部分に接着することで小口側を封緘し、郵送作業が円滑に行われるようにしたものである。
【特許文献１】特開昭４９−５５４１９号
【特許文献２】実開昭５３−９８０７７号
【特許文献３】特開昭６２−１６３５９号
【特許文献４】特開昭６２−２１２１９７号
【発明の開示】
【発明が解決しようとする課題】
【０００４】
しかしながら、このような形態で本を店頭に陳列しても、表紙や冊子部の内容を単に見れないだけであり、そのため、本の購買意欲を高めることができず、また、本に面白さ等を付加することもできない。
本発明は前記事情に鑑み案出されたものであって、本発明の目的は、本の構造自体に面白さ等を付加でき、本の購買意欲を高め、購買量を増大できる部分封緘本を提供することにある。
【課題を解決するための手段】
【０００５】
上記目的を達成するため本発明は、表表紙或は裏表紙の一方の小口部分に、冊子部の外側に延出する延長部が設けられ、前記延長部が、該延長部が設けられた表表紙或は裏表紙側に位置する冊子部部分の紙片を封緘するように折り曲げられ、少なくともその先端が前記紙片に接着されていることを特徴とする。
【０００６】
また、本発明は、前記延長部が接着される紙片は冊子部の中央頁をなす紙片であることを特徴とする。
また、本発明は、前記延長部が表表紙と裏表紙の双方に設けられていることを特徴とする。
また、本発明は、前記延長部の基部に表表紙或は裏表紙の小口側から切り取り可能な切取線が形成されていることを特徴とする。
【０００７】
また、本発明は、前記紙片に対して延長部は接着剤により剥離可能に接着されていることを特徴とする。
また、本発明は、前記延長部が接着される冊子部の紙片部分には、前記接着剤が前記冊子部部分を封緘するのに十分な接着強度が維持されると共に、前記接着強度よりも大きな力で前記接着剤が剥離される表面加工層が形成されていることを特徴とすることを特徴とする。
また、本発明は、前記表面加工層が、油性ＯＰニス、塩化ビニル・酢酸ビニル共重合系塗料、硝化綿系塗料、アクリル樹脂系塗料、アミノアルキッド樹脂系塗料、アクリル樹脂水性型塗料及び紫外線硬化型アクリル系塗料よりなる群から選択される少なくとも一種の材料で形成されていることを特徴とする。
また、本発明は、前記接着剤が、ホットメルト粘着剤、アクリル系粘着剤、シリコーン系粘着剤及び粘着付与剤樹脂よりなる群から選択される少なくとも一種の材料で形成されていることを特徴とする。
【発明の効果】
【０００８】
本発明に係る部分封緘本は、表表紙或は裏表紙の一方の小口部分に、冊子部の外側に延出する延長部が設けられ、前記延長部が、該延長部が設けられた表表紙或は裏表紙側に位置する冊子部部分の紙片を封緘するように折り曲げられ、少なくともその先端が前記紙片に接着されている構成とした。
そのため、延長部が設けられた表表紙或は裏表紙単独では開閉せず、封緘された冊子部の一部と一体となって開閉する。そして、店頭等において、封緘されていない冊子部分を見ることができるが、延長部を破断してからでないと封緘された冊子部部分を見ることができない。
そのため、表紙が冊子部の一部と一体となって開かれ、また、表紙の裏面や冊子部の一部が店頭等において見ることができない等、従来に見られない面白さを本に付加することが可能となり、本の購買意欲を高め、購買量を増大することが可能となる。
【発明を実施するための最良の形態】
【０００９】
以下、本発明の実施例を図面に基づいて説明する。
図１は実施例に係る表紙が適用された本の斜視図、図２は表紙と冊子部とを切り離した状態の正面図を示す。
１は本で、実施例では本１は月刊誌、或は週刊誌である。
本１は、表表紙３と裏表紙５と、これら表紙３，５で挟まれる冊子部７とで構成され、表表紙３と裏表紙５は単一の紙片９で構成されている。
表表紙３と裏表紙５は冊子部７と共に背１０１側で中綴じされ、表表紙３の小口１０３部分に、折れ線１０を介して冊子部７の外側に延出する延長部１１が設けられている。
前記延長部１１は冊子部７を構成する紙片の１／２の分量の紙片を包むように小口１０３側から背１０１側に折り曲げられ、その先端が冊子部７の中央頁をなす紙片７０１に接着され、これにより表表紙３側に位置する冊子部７の半部の紙片が表表紙３と延長部１１により封緘されている。
【００１０】
次に、このように冊子部７の半部の紙片が封緘された本１の製造方法について説明する。
まず、表紙３，５をなす紙片９と冊子部７を中綴じする前に、延長部１１を折れ線１０から表表紙３の内面３Ａに折り込んでおく。
その状態で、図３（Ａ）に示すように、表表紙３と裏表紙５の間の折れ線１３を冊子部７の背１０１に位置させて紙片９を冊子部７に重ね、止め金具により背１０１を中綴じする。
次に、三方断裁機により、表表紙３と裏表紙５と冊子部７の天と地と小口１０３を断裁し、小口１０３部分の断裁ラインを図３（Ａ）に想像線（イ）で示す。尚、この時、前記折れ線１０部分が断裁されないように、折れ線１０，１３間の寸法Ｓは、製品となる本１の幅Ｗよりも若干小さく形成されている。
【００１１】
次に、図３（Ｂ）に示すように、延長部１１を表表紙３の内面３Ａから引き離すように折り返して展開させる。
次に、冊子部７を構成する紙片の１／２の分量の紙片を封緘するように延長部１１を小口１０３側から背１０１側に折り曲げ、その先端を冊子部７の中央頁をなす紙片７０１に接着し、これにより図３（Ｃ）に示すように、冊子部７の半部の紙片が封緘された本１が得られる。
【００１２】
本実施例によれば、従来のように冊子部の紙片と共に表表紙並びに裏表紙が単に開閉可能に綴じられた構成と異なり、表表紙３単独では開閉せず、冊子部７の半部と一体となって開閉する。
そして、裏表紙５側に位置する冊子部７の半部の内容や裏表紙５の裏面は見ることができるものの、表表紙３側に位置する冊子部７の半部が延長部１１により封緘されており、延長部１１を破断してからでないと表表紙３の裏面や表表紙３側に位置する冊子部７の半部の内容を見ることができない。
従って、本実施例によれば、従来に見られない面白さを本１に付加することが可能となり、また、表表紙３の外面３Ｂ及び裏表紙５の内外面並びに冊子部７の半部を店頭で見れるので、冊子部の小口側を全て包装紙により封緘した郵送用の本と異なり、本１の購買意欲を高め、購買量を増大することも可能となる。
【００１３】
尚、折れ線１０上にミシン目等の切取線を形成しておくと、この切取線上で表表紙３と延長部１１を簡単に切り離すことができ、また、切取線に沿って表表紙３と延長部１１が整然と破断されるため、きれいな状態に本１を保つ上で有利となる。
【００１４】
また、本実施例では、延長部１１の先端を、冊子部７の中央頁をなす紙片７０１に接着するようにした。
一般に、表紙と、冊子部の中央頁をなす紙片にはコート紙やアート紙が用いられ、コート紙やアート紙は、冊子部の他の頁をなす上質紙に比べて破れにくく腰も強い。
そのため、接着剤を介して延長部１１の先端を中央頁をなす紙片７０１に剥離可能に接着し易く、延長部１１を含んだ本１の全ての部分を何ら破断することなく冊子部７を開くことが可能となり、その結果、本１をきれいな状態に保つ上で有利となる。
尚、延長部１１の先端を、冊子部７の中央頁以外の任意の頁をなす紙片に接着してもよいことは無論のことである。
【００１５】
更に、延長部１１の先端を、冊子部７の中央頁や中央頁以外の任意の頁をなす紙片に接着剤により接着する場合、少なくとも延長部１１が接着される紙片部分に、接着剤が封緘すべき冊子部７の部分を封緘するのに十分な接着強度が維持されると共に、前記接着強度よりも大きな力で接着剤が剥離される表面加工層を形成しておくと、延長部１１を紙片から剥す際、接着剤が表面加工層からきれいに剥離し、接着剤が延長部１１に接着したまま延長部１１が紙片から剥れる。
このように構成すると、延長部１１を紙片から剥す際に、冊子部７側に接着剤を残さずきれいに剥せ、また、接着剤と共に冊子部７の紙片が破れるといった不具合も防止でき、更に、冊子部７の紙片に接着剤が残らないことから、冊子部７の全頁を支障なく開くことができる。
そして、折れ線１０上にミシン目等の切取線を形成しておけば、接着剤が残存する延長部１１を表紙から簡単に切り捨てることができる。
【００１６】
前記表面加工層は、例えば、フェノールマレイン酸樹脂を主樹脂とし軽油を主溶剤とした油性ＯＰニスを薄く塗布することで形成される。
更に、前記表面加工層は、上述した油性ＯＰニスの他、例えば次のＡ乃至Ｅの塗料を用いて形成することができる。
Ａ  塩化ビニル・酢酸ビニル共重合体を主樹脂とし芳香族，エステル系を主溶剤とした塩・酢ビニル共重合系塗料
Ｂ  ニトロセルローズを主樹脂とし芳香族，エステル，アルコールを主溶剤とした硝化綿系塗料
Ｃ  アミノアルキッドを主樹脂とし芳香族，エステル，アルコールを主溶剤とした熱硬化型のアミノアルキッド樹脂系塗料
Ｄ  アクリル系樹脂を主樹脂とし水，少量のアルコールを主溶剤としたアクリル系樹脂水性型塗料
Ｅ  紫外線硬化型アクリル系塗料
【００１７】
また、前記接着剤は、粘着性を維持するものが用いられ、例えば、スチレン系合成ゴム、水添粘着付与樹脂、プロセスオイル、並びに、酸化防止剤の４つの組成物から構成された粘着性接着剤が用いられる。
前記４つの組成物の組成比（重量比）は、スチレン系合成ゴム５〜３０％，好ましくは１０〜２０％、水添粘着付与樹脂２５〜６０％，好ましくは３５〜５０％、プロセスオイル２５〜６０％，好ましくは３５〜５０％、酸化防止剤０〜３．０％，好ましくは０．１〜１．０％である。
【００１８】
尚、前記接着剤には、上述した粘着性接着剤の他、例えばホットメルト粘着剤、アクリル系粘着剤、シリコーン系粘着剤、粘着付与剤樹脂のうち任意の接着剤を用いることができる。
詳しくは、前記ホットメルト粘着剤としては、熱可塑性ゴム（スチレン系熱可塑性エストラマー）系粘・接着剤、天然ゴム系粘着剤、石油ワックスを始めとする天然ワックス、並びにポリエチレンワックスを始めとする合成ワックス等が挙げられる。
前記アクリル系粘着剤としては、コスト的に有利なエマルジョン型粘着剤や、耐熱性に優れた溶剤型粘着剤等が挙げられる。
前記シリコーン系粘着剤としては、過酸化物可硫型粘着剤や、ヒドロシリル化型（付加反応型）粘着剤等が挙げられる。
前記粘着付与剤樹脂としては、ロジン系、テルベン系を始めとする天然系や、石油樹脂を主とする合成系等が挙げられる。
【００１９】
次に、図４を参照して別実施例について説明する。
この実施例では、中綴じする前の紙片９の延長部１１の折り曲げ方向が前記実施例と逆向きである。
すなわち、中綴じする前に、延長部１１は折れ線１０から表表紙３の外面３Ｂに折り込まれ、接着剤により表表紙３の外面３Ｂに剥離可能に接着されている。その状態で、紙片９と冊子部７は中綴じされ、三方断裁され、延長部１１が表表紙３の外面３Ｂから剥離され展開される。
そして、前記実施例と同様に、延長部１１は小口１０３側から背１０１側に折り曲げられてその先端が冊子部７の中央頁をなす紙片７０１に接着され、冊子部７の半部の紙片が封緘された本１が得られる。
この場合、延長部１１と表表紙３の外面３Ｂとの接着に、前述した表面加工層や接着剤を用いるか否かは任意である。
【００２０】
尚、本実施例では、表紙と冊子部７を止め金具により綴じる場合について説明したが、綴じる方式は任意であり、止め金具を糸に代えてもよく、また、本発明は、無線綴じにより綴じた本の場合にも無論適用可能である。
また、延長部１１は裏表紙５に、或は、表表紙３と裏表紙５の双方に設けるようにしてもよい。
【図面の簡単な説明】
【００２１】
【図１】実施例に係る表紙が適用された本の斜視図である。
【図２】表紙と冊子部とを切り離した状態の正面図である。
【図３】部分封緘本の製造方法の説明図である。
【図４】別実施例に係る表紙の正面図である。
【符号の説明】
【００２２】
１……本、３……表表紙、５……裏表紙、７……冊子部、１０，１３……折れ線、１１……延長部。
【図１】
2005170060.tif 000003
【図２】
2005170060.tif 000004
【図３】
2005170060.tif 000005
【図４】
2005170060.tif 000006